(57)【特許請求の範囲】
【請求項１】
パッケージキャリアの製造方法であり、前記製造方法は、
上表面、前記上表面に相対する下表面、及び前記上表面と前記下表面を連通する開口を有する基板を提供し、
互いに相対する上面及び底面を有する電子デバイスを前記基板の前記開口内に配置し、
第１絶縁層及び前記第１絶縁層上に配置される第１金属層を前記基板の前記上表面上に積層し、第２絶縁層及び前記第２絶縁層上に配置される第２金属層を前記基板の前記下表面上に積層し、前記開口を前記第１絶縁層及び前記第２絶縁層で充填し、
複数の第１ブラインドホール、複数の第２ブラインドホール及び放熱チャネルを形成し、前記第１ブラインドホールが前記第１金属層から前記第１絶縁層まで延伸されて前記電子デバイスの前記上面の一部を露出させ、前記第２ブラインドホールが前記第２金属層から前記第２絶縁層まで延伸されて前記電子デバイスの前記底面の一部を露出させ、前記放熱チャネルが前記第１金属層、前記第１絶縁層、前記基板、前記第２絶縁層及び前記第２金属層を貫通するようにし、
前記第１ブラインドホール、前記第２ブラインドホール及び前記放熱チャネルの内壁上に第３金属層を形成し、
導熱デバイスを前記放熱チャネル内に配置し、前記導熱デバイスが絶縁材料により前記放熱チャネル中に固定され、前記絶縁材料が前記導熱デバイスと、前記放熱チャネルの前記内壁上に配置される前記第３金属層との間に配置されるようにし、
前記第１金属層及び前記第２金属層をパターン化し、第１パターン化金属層及び第２パターン化金属層を形成することを含むパッケージキャリアの製造方法。
【請求項２】
前記第１金属層及び前記第２金属層をパターン化した後、更に、
前記第１パターン化金属層の一部、前記パターン化金属層により露出される前記第１絶縁層の一部、前記第２パターン化金属層の一部、前記第２パターン化金属層により露出される前記第２絶縁層の一部の上にソルダーマスクを形成し、
前記第１パターン化金属層の一部、前記第２パターン化金属層の一部、前記第３金属層、前記絶縁材料、及び前記導熱デバイスを覆うよう表面不活性層を形成することを含む請求項１に記載のパッケージキャリアの製造方法。
【請求項３】
前記基板は、第１銅箔層、第２銅箔層、及び前記第１銅箔層と前記第２銅箔層の間に配置されるコア誘電層を含む請求項１に記載のパッケージキャリアの製造方法。
【請求項４】
前記導熱デバイスの材質は、セラミック、シリコン、炭化珪素、ダイヤモンド又は金属を含む請求項１に記載のパッケージキャリアの製造方法。
【請求項５】
前記電子デバイスは、無線周波数デバイス、能動デバイス又は受動デバイスを含む請求項１に記載のパッケージキャリアの製造方法。
【請求項６】
前記第３金属層を形成する方法は、電気めっき法を含む請求項１に記載のパッケージキャリアの製造方法。
【請求項７】
上表面、前記上表面に相対する下表面、及び前記上表面と前記下表面を連通する開口を有する基板と、
前記基板の前記開口内に配置され、互いに相対する上面と下面を有する電子デバイスと、
前記基板の前記上表面上に配置され、前記開口を充填し且つ複数の第１ブラインドホールを有し、前記第１ブラインドホールが前記電子デバイスの前記上面の一部を露出させる第１絶縁層と、
前記第１絶縁層上に配置され、前記第１絶縁層の一部を露出させる第１パターン化金属層と、
前記基板の前記下表面上に配置され、前記開口を充填し且つ複数の第２ブラインドホールを有し、前記第２ブラインドホールが前記電子デバイスの前記底面の一部を露出させる第２絶縁層と、
前記第２絶縁層上に配置され、前記第２絶縁層の一部を露出させる第２パターン化金属層と、
前記第１絶縁層、前記第１パターン化金属層、前記基板、前記第２パターン化金属層、及び前記第２絶縁層を貫通する放熱チャネルと、
前記第１ブラインドホール及び前記第２ブラインドホールを充填し、前記放熱チャネルの内壁を覆い、前記第１パターン化金属層及び前記第２パターン化金属層を接続する第３金属層と、
前記放熱チャネル内に配置される導熱デバイスと、
を含み、
前記導熱デバイスが絶縁材料により前記放熱チャネル中に固定され、前記絶縁材料が前記導熱デバイスと、前記放熱チャネルの前記内壁上に配置される前記第３金属層との間に配置されるパッケージキャリア。
【請求項８】
前記第１パターン化金属層の一部、前記第１パターン化金属層により露出される前記第１絶縁層の一部、前記第２パターン化金属層の一部、及び前記第２パターン化金属層により露出される前記第２絶縁層の一部上に配置されるソルダーマスクと、
前記第１パターン化金属層の一部、前記第２パターン化金属層の一部、前記第３金属層及び前記導熱デバイスを覆う表面不活性層と、
を更に含む請求項７に記載のパッケージキャリア。
【請求項９】
前記導熱デバイスの材質は、セラミック、シリコン、炭化珪素、ダイヤモンド又は金属を含む請求項７に記載のパッケージキャリア。
【請求項１０】
前記電子デバイスは、無線周波数デバイス、能動デバイス又は受動デバイスを含む請求項７に記載のパッケージキャリア。
【発明の詳細な説明】
【技術分野】
【０００１】
本発明は、パッケージ構造及びその製造方法に関する。特に、本発明は、パッケージキャリア及びその製造方法に関する。
【背景技術】
【０００２】
近年、電子技術は、絶え間なく進歩し、ハイテク電子産業は、急速な成長を続けており、電子製品は、迅速な処理速度、多機能、高密度、小型及び低価格の趨勢に発展している。パッケージキャリアは、しばしば電子製品において配置されている。パッケージキャリアは、導電回路を有するだけでなく、コンデンサ、抵抗又はＩＣチップを含む電子デバイスを搭載し、パッケージキャリアは、電子製品のデータ処理ユニットとして提供される。しかしながら、電子デバイスがパッケージキャリア上に全て配置される場合、電子デバイスが占める領域が増大し、レイアウト空間は、減少し、既存の電子製品に対する小型化の要求が満たされない。
【０００３】
一方で、通常のパッケージキャリアは、複数のパターン化導電層及び少なくとも１つの絶縁層により構成され、絶縁層は、電気的絶縁の為、２つの隣接するパターン化導電層の間に配置される。パッケージキャリアの放熱性能を改善する為、放熱ブロックは、しばしば接着層を介してパッケージキャリアの下表面上に固定される。それにより、パッケージキャリア上に配置される電子デバイスにより発生される熱は、パターン化導電層及び絶縁層を介して放熱ブロックに伝達され、放出されることができる。接着層及び絶縁層の良好でない熱伝導率のため、電子デバイスにより発生される熱が絶縁層及び接着層を介して放熱ブロックに伝達される時に熱抵抗が上昇し、放熱が困難になる。結果として、如何にパッケージキャリア中の電子デバイスの幾つかを埋め込み、パッケージキャリアの厚さを減少し、レイアウト空間を拡大するか及び電子デバイスにより発生される熱を如何に効率的に外部環境に放出するかが本分野の研究及び開発の課題となっている。
【発明の概要】
【発明が解決しようとする課題】
【０００４】
本発明は、良好な放熱性能及び薄いパッケージの厚さを有するパッケージキャリアを提供する。
【０００５】
本発明は、前記パッケージキャリアを製造するパッケージキャリアの製造方法を提供する。
【課題を解決するための手段】
【０００６】
本発明の実施例において、パッケージキャリアの製造方法が提供される。前記製造方法において、基板が提供される。基板は、上表面、上表面に相対する下表面、及び上表面と下表面を連通する開口を有する。電子デバイスが基板の開口内に配置され、電子デバイスは、互いに相対する上面及び底面を有する。第１絶縁層及び第１絶縁層上に配置される第１金属層は、基板の上表面上に積層され（laminated）、第２絶縁層及び第２絶縁層上に配置される第２金属層が基板の下表面上に積層される。ここで、開口は、第１絶縁層及び第２絶縁層で充填される。複数の第１ブラインドホール、複数の第２ブラインドホール及び放熱チャネルが形成される。第１ブラインドホールは、第１金属層から第１絶縁層まで延伸され、電子デバイスの上面の一部を露出させる。第２ブラインドホールは、第２金属層から第２絶縁層まで延伸され、電子デバイスの底面の一部を露出させる。放熱チャネルは、第１金属層、第１絶縁層、基板、第２絶縁層及び第２金属層を貫通する。第３金属層は、第１ブラインドホール、第２ブラインドホール及び放熱チャネルの内壁上に形成される。導熱デバイスは、放熱チャネル内に配置され、導熱デバイスは、絶縁材料により放熱チャネル中に固定される。絶縁材料は、導熱デバイスと、放熱チャネルの内壁上に配置される第３金属層との間に配置される。第１金属層及び第２金属層は、パターン化され、第１パターン化金属層及び第２パターン化金属層を形成する。
【０００７】
本発明の実施例に基づき、第１金属層及び第２金属層をパターン化した後、製造方法は、更に、第１パターン化金属層の一部、第１パターン化金属層により露出される第１絶縁層の一部、第２パターン化金属層の一部、及び第２パターン化金属層により露出される第２絶縁層の一部上にソルダーマスク層を形成することと、表面不活性層（surface passivation layer）を形成し、第１パターン化金属層の一部、第２パターン金属層の一部、第３金属層、絶縁層及び導熱デバイスを覆うことを含む。
【０００８】
本発明の実施例に基づき、基板は、第１銅箔層、第２銅箔層及びコア誘電層を含む。コア誘電層は、第１銅箔層及び第２銅箔層の間に配置される。
【０００９】
本発明の実施例に基づき、導熱デバイスの材質は、セラミック、シリコン、炭化珪素、ダイヤモンド又は金属を含む。
【００１０】
本発明の実施例に基づき、誘電デバイスは、無線周波数（RF）デバイス、能動デバイス又は受動デバイスを含む。
【００１１】
本発明の実施例に基づき、第３金属層を形成する方法は、電気めっき法を含む。
【００１２】
本発明の実施例において、基板、電子デバイス、第１絶縁層、第１パターン化金属層、第２絶縁層、第２パターン化金属層、放熱チャネル、第３金属層及び導熱デバイスを含むパッケージキャリアが提供される。基板は、上表面、上表面に相対する下表面、及び上表面と下表面を連通する開口を有する。電子デバイスは、基板の開口内に配置され、電子デバイスは、互いに相対する上面及び底面を有する。第１絶縁層は、基板上の上表面上に配置され、開口を充填する。ここで、第１絶縁層は、複数の第１ブラインドホールを有し、第１ブラインドホールは、誘電デバイスの上面の一部を露出させる。第１パターン化金属層は、第１絶縁層上に配置され、第１絶縁層の一部を露出させる。第２絶縁層は、基板の下表面上に配置され、開口を充填する。ここで、第２絶縁層は、複数の第２ブラインドホールを有し、第２ブラインドホールは、誘電デバイスの底面の一部を露出させる。第２パターン化金属層は、第２絶縁層上に配置され、第２絶縁層の一部を露出させる。放熱チャネルは、第１絶縁層、第１パターン化金属層、基板、第２パターン化金属層及び第２絶縁層を貫通する。第３金属層は、第１ブラインドホール及び第２ブラインドホールを充填し、放熱チャネルの内壁を覆う。ここで、第３金属層は、第１パターン化金属層及び第２パターン化金属層を接続する。導熱デバイスは、放熱チャネル内に配置される。
【００１３】
本発明の実施例に基づき、パッケージキャリアは、更に、ソルダーマスク層及び表面不活性層を含む。ソルダーマスク層は、第１パターン化金属層の一部、第１パターン化金属層により露出される第１絶縁層の一部、第２パターン化金属層、第２パターン化金属層により露出される第２絶縁層の一部上に配置される。表面不活性層は、第１パターン化金属層の一部、第２パターン化金属層の一部、第３金属層及び導熱デバイスを覆う。
【００１４】
本発明の実施例に基づき、導熱デバイスの材質は、セラミック、シリコン、炭化珪素、ダイヤモンド又は金属を含む。
【００１５】
本発明の実施例に基づき、誘電デバイスは、ＲＦデバイス、能動デバイス又は受動デバイスを含む。
【発明の効果】
【００１６】
上記に基づき、ここで記載するパッケージキャリアは、導熱デバイスを有し、導熱デバイスは、基板中に埋め込まれる。従って、発熱デバイスがパッケージ上に配置され、発熱デバイスにより発生される熱は、導熱デバイスを介し、外部環境に迅速に伝達されることができ、発熱デバイスにより発生される熱を効率的に放出し、更に、効率性を改善し、発熱デバイスの寿命を延長する。また、本発明の実施例中に誘電デバイスは、基板中に組み込まれ、従って、ここで記載されるパッケージキャリアは、薄いパッケージの厚さ及び大きなレイアウト空間を有することができる。
【図面の簡単な説明】
【００１７】
【図１Ａ】本発明の実施例に基づき、パッケージキャリアの製造方法を示す概略断面図である。
【図１Ｂ】本発明の実施例に基づき、パッケージキャリアの製造方法を示す概略断面図である。
【図１Ｃ】本発明の実施例に基づき、パッケージキャリアの製造方法を示す概略断面図である。
【図１Ｄ】本発明の実施例に基づき、パッケージキャリアの製造方法を示す概略断面図である。
【図１Ｅ】本発明の実施例に基づき、パッケージキャリアの製造方法を示す概略断面図である。
【図１Ｆ】本発明の実施例に基づき、パッケージキャリアの製造方法を示す概略断面図である。
【図１Ｇ】本発明の実施例に基づき、パッケージキャリアの製造方法を示す概略断面図である。
【図２】図１Ｇに示されるパッケージキャリアが発熱デバイスを有することを示す概略断面図である。
【発明を実施するための形態】
【００１８】
図１Ａ〜図１Ｇは、本発明の実施例に基づくパッケージキャリアの製造方法を示す概略断面図である。図１Ａに示すように、本実施例に基づくパッケージキャリアの製造方法において、基板１１０が提供される。基板１１０は、上表面１１１、上表面１１１に相対する下表面１１３及び上表面１１１及び下表面１１３を連通する開口１１５を有する。本実施例に基づき、基板１１０は、例えば、第１銅箔層１１２、コア誘電層１１４及び第２銅箔層１１６から構成され、コア誘電層１１４は、第１銅箔層１１２及び第２銅箔層１１６の間に配置される。即ち、本実施例中に記載される基板１１０は、両面基板である。当然ながら、他の実施例において、基板１１０は、多層基板又はガラス繊維（FR4）基板であることができる。基板１１０のタイプは、ここでは限定しない。また、開口１１５を形成する方法は、例えば、打ち抜き（punching）又はくり抜き（routing）である。
【００１９】
図１Ｂを参照し、電子デバイス１２０は、基板１１０の開口１１５内に配置され、基板１１０の開口１１５の直径は、電子デバイス１２０の直径より大きい。電子デバイス１２０は、互いに相対する上面１２２及び底面１２４を有し、電子デバイス１２０は、基板１１０の下表面１１３上に位置する接着剤（図示せず）を介し、開口１１５中に一時的に固定されることができる。ここで、電子デバイス１２０は、例えば、ＲＦデバイス、能動デバイス、受動デバイス、メモリ又は電子コネクタである。基板１１０の開口１１５の直径は、電子デバイス１２０の直径より大きいので、電子デバイス１２０は、基板１１０の開口１１５内に配置され、好適なプロセスウィンドウが保証されることができる。
【００２０】
図１Ｃを参照し、第１絶縁層１３２及び第１絶縁層１３２上に配置される第１金属層１４２は、基板１１０の上表面１１１上に積層され、第２絶縁層１３４及び第２絶縁層１３４上に配置される第２金属層１４４は、基板１１０の下表面１１３上に積層される。本実施例において、基板１１０の上表面１１１上に第１絶縁層１３２及び第１金属層１４２を積層する方法及び基板１１０の第２表面１１３上に第２絶縁層１３４及び第２金属層１４４を積層する方法は、例えば、サーマルラミネーション（thermal lamination）である。また、第１絶縁層１３２及び第２絶縁層１３４の材質は、例えば、ポリイミド（ＰＩ）又はエポキシ樹脂である。
【００２１】
本実施例において、第１絶縁層１３２及び第２絶縁層１３４は、サーマルラミネーションによって、基板１１０の上表面１１１及び下表面１１３上にそれぞれ積層される。従って、第１絶縁層１３２の一部及び第２絶縁層１３４の一部は、開口１１５に延伸し、開口１１５は、第１絶縁層１３２及び第２絶縁層１３４で充填される。それにより、電子デバイス１２０は、図１Ｃに示されるように、開口１１５中に固定される。提示すべきこととして、電子デバイス１２０を開口１１５中に一時的に固定することに適用される接着剤（図示せず）は、第１絶縁層１３２及び第１金属層１４２を基板１１０の上表面１１１上に積層した後、且つ第２絶縁層１３４及び第２金属層１４４を基板１１０の下表面１１３上に積層する前に除去することができる。
【００２２】
図１Ｄを参照し、複数の第１ブラインドホール１５２、複数の第２ブラインドホール１５４及び放熱チャネル１５６が形成される。特に、第１ブラインドホール１５２は、第１金属層１４２から第１絶縁層１３２まで延伸され、電子デバイス１２０の上部１２２の一部を露出させる。第２ブラインドホール１５４は、第２金属層１４４から第２絶縁層１３４まで延伸され、電子デバイス１２０の底面１２４の一部を露出させる。放熱チャネル１５６は、第１金属層１４２、第１絶縁層１３２、基板１１０、第２絶縁層１３４及び第２金属層１４４を貫通する。本実施例において、第１ブラインドホール１５２、第２ブラインドホール１５４及び放熱チャネル１５６を形成する方法は、例えば、マシンドリリング又はレーザドリリングである。
【００２３】
図１Ｅを参照し、第３金属層１６０は、例えば、電気めっき法により第１ブラインドホール１５２、第２ブラインドホール１５４及び放熱チャネル１５６の内壁上に形成される。本実施例において、第１ブラインドホール１５２及び第２ブラインドホール１５４は、第３金属層１６０に充填され、第３金属層１６０は、放熱チャネル１５６の内壁を覆う。第３金属層１６０は、第１金属層１４２及び第２金属層１４４を接続する。ここで、第３金属層１６０の一表面は、第１金属層１４２の表面に実質的に整列されるか、第３金属層１６０の表面の高さ（level）が第１金属層１４２の表面よりも僅かに低いものであることができる。また、第３金属層１６０の他表面は、第２金属層１４４の表面に実質的に整列されるか、第３金属層１６０の表面の高さ（level）が第２金属層１４４の表面より僅かに低いものであることができる。
【００２４】
図１Ｅに示すように、導熱デバイス１７０は、放熱チャネル１５６内に配置され、導熱デバイス１７０は、絶縁材料１８２によって放熱チャネル１５６中に固定される。絶縁材料１８２は、導熱デバイス１７０と、放熱チャネル１５６の内壁上に位置する第３金属層１６０の一部との間に位置する。導熱デバイス１７０の材質は、例えば、セラミック、シリコン、炭化珪素、ダイヤモンド又は金属である。絶縁材料１８２は、例えば、樹脂、エポキシ樹脂又はペースト状材質である。
【００２５】
図１Ｆを参照し、第１金属層１４２及び第２金属層１４４は、パターン化され、第１パターン化金属層１４２ａ及び第２パターン化金属層１４４ａを形成する。本発明の実施例において、第１パターン化金属層１４２ａは、第１絶縁層１３２の一部を露出させ、第２パターン化金属層１４４ａは、第２絶縁層１３４の一部を露出させる。
【００２６】
図１Ｇを参照し、ソルダーマスク層１８４は、第１パターン化金属層１４２ａの一部、第１パターン化金属層１４２ａにより露出される第１絶縁層１３２の一部、第２パターン化金属層１４４ａの一部、及び第２パターン化金属層１４４ａにより露出される第２絶縁層１３４の一部上に配置される。表面不活性層１８６は、第１パターン化金属層１４２ａの一部、第２パターン化金属層１４４ａの一部、第３金属層１６０、絶縁材料１８２及び導熱デバイス１７０を覆うように形成される。ここで、表面不活性層１５６は、例えば、ニッケル層、金層、銀層、ニッケルパラジウム金層又は他の適切な材質層であり、それは、本発明に対する制限として解釈すべきものではない。これにより、パッケージキャリア１００の製造が実質的に完成される。
【００２７】
本発明に記載する電子デバイス１２０は、基板１１０の開口１１５内に配置され、第１絶縁層１３２及び第１パターン化金属層１４２ａは、電子デバイス１２０上に積層され（stacked onto）、第２絶縁層１３４及び第２パターン化金属層１４４ａは、電子デバイス１２０上に積層される。すなわち、電子デバイス１２０は、パッケージキャリア１００中に埋め込まれる。従って、本実施例に記載するパッケージキャリア１００は、薄いパッケージの厚さを有することができる。また、基板１１０の開口１１５の直径は、電子デバイス１２０の直径より大きい。従って、誘電デバイス１２０が基板１１０の開口１１５内に配置される時、好適なプロセスウィンドウが保証されることができる。
【００２８】
図１Ｇに例示するパッケージキャリア１００の構造について、本実施例に記載するパッケージキャリア１００は、基板１１０、電子デバイス１２０、第１絶縁層１３２、第１パターン化金属層１４２ａ、第２絶縁層１３４、第２パターン化金属層１４４ａ、放熱チャネル１５６、第３金属層１６０、及び導熱デバイス１７０を含む。基板１１０は、第１銅箔層１１２、コア誘電層１１４、及び第２銅箔層１１６から構成される。また、基板１１０は、上表面１１１、上表面１１１に相対する下表面１１３、及び上表面１１１と下表面１１３を連通する開口１１５を有する。電子デバイス１２０は、基板１１０の開口１１５内に配置され、電子デバイス１２０は、互いに相対する上面１２２及び底面１２４を有する。ここで、電子デバイス１２０は、例えば、ＲＦデバイス、能動デバイス又は受動デバイスである。第１絶縁層１３２は、基板１１０の上表面１１１上に配置され、開口１１５を充填する。ここで、第１絶縁層１３２は、複数の第１ブラインドホール１５２を有し、第１ブラインドホール１５２は、電子デバイス１２０の上面１２２の一部を露出させる。第１パターン化金属層１４２ａは、第１絶縁層１３２上に配置され、第１絶縁層１３２の一部を露出させる。第２絶縁層１３４は、基板１１０の下表面１１３上に配置され、開口１１５を充填する。ここで、第２絶縁層１３４は、複数の第２ブラインドホール１５４を有し、第２ブラインドホール１５４は、電子デバイス１２０の底面１２４の一部を露出させる。第２パターン化金属層１４４ａは、第２絶縁層１３４上に配置され、第２絶縁層１３４の一部を露出させる。放熱チャネル１５６は、第１絶縁層１３２、第１パターン化金属層１４２ａ、基板１１０、第２パターン化金属層１４４ａ及び第２絶縁層１３４を貫通する。第１ブラインドホール１５２及び第２ブラインドホール１５４は、第３金属層１６０で充填され、第３金属層１６０は、放熱チャネル１５６の内壁を覆う。ここで、第３金属層１６０は、第１パターン化金属層１４２ａ及び第２パターン化金属層１４４ａを接続する。導熱デバイス１７０は、絶縁材料１８２を介して放熱チャネル１５６中に配置される。ここで、絶縁材料１８２は、導熱デバイス１７０及び第３金属層１６０の一部の間に位置し、導熱デバイス１７０材質は、例えば、セラミック、シリコン、炭化珪素、ダイヤモンド又は金属である。
【００２９】
また、本実施例に記載するパッケージキャリア１００は、更に、ソルダーマスク層１８４及び表面不活性層１８６を含む。ソルダーマスク層１８４は、第１パターン化金属層１４２ａの一部、第１パターン化金属層１４２ａにより露出される第１絶縁層１３２の一部、第２パターン化金属層１４４ａの一部、及び第２パターン化金属層１４４ａにより露出される第２絶縁層１３４の一部上に配置される。表面不活性層１８６は、第１パターン化金属層１４２ａの一部、第２パターン化金属層１４４ａの一部、第３金属層１６０、及び導熱デバイス１７０を覆う。
【００３０】
図２は、図１Ｇに示すパッケージキャリアが発熱デバイスを有することを示す概略断面図である。図２を参照し、本実施例において、パッケージキャリア１００は、発熱デバイス１０を支持することに適する。発熱デバイス１０は、導熱デバイス１７０に対応して表面不活性層１８６上に配置され、発熱デバイス１０は、例えば、電子チップ又は光電デバイスであるが、本発明に対する制限として解釈すべきものではない。更に具体的には、例えば、発熱デバイス１０は、半導体集積回路（IC）チップ又は発光ダイオード（LED）チップであるが、これに限定するものではない。
【００３１】
特に、発熱デバイス１０は、複数のボンディグワイヤ２０によるワイヤボンディングによって表面不活性層１８６に電気接続されることができる。発熱デバイス１０、ボンディングワイヤ２０及びパッケージキャリア３０を封入するモールディングコンパウンドを使用し、発熱デバイス１０、ボンディングワイヤ２０及びパッケージキャリア３０の間の電気接続を保護することも好適である。他の観点において、発熱デバイス１０は、パッケージキャリア１００上に配置され、発熱デバイス１０により発生される熱は、導熱デバイス１７０及び表面不活性層１８６を介して外部環境に迅速に伝達されることができる。従って、本実施例に記載するパッケージキャリア１００は、発熱デバイス１０により発生される熱を効率的に放出することができ、更に、効率性を改善し、発熱デバイス１０の寿命を延長する。
【００３２】
ここで記載する発熱デバイス１０は、ワイヤボンディングによってパッケージキャリア１００の表面不活性層１８６に電気接続され、発熱デバイス１０をパッケージキャリア１００にボンディングする方法及び発熱デバイス１０のタイプは、本発明において制限しない。他の実施例において、しかしながら、発熱デバイス１０は、複数のバンプ（図示せず）によるフリップチップボンディングによって、導熱デバイス１７０上に位置する表面不活性層１８６に電気接続されることもできる。他の実施例に基づき、発熱デバイス１０は、チップパッケージ（図示せず）であることができ、表面実装技術（surface mount technology = SMT）によってパッケージキャリア１００上に配置されることができる。上記の発熱デバイス１０をパッケージキャリア１００にボンディングする方法及び上記の発熱デバイス１０のタイプは、単に例とするだけであり、本発明に対する制限として解釈されるべきものではない。
【００３３】
前記を考慮して、ここで記載するパッケージキャリアは、導熱デバイスを有し、導熱デバイスは、基板中に組み込まれる。従って、発熱デバイスがパッケージキャリア上に配置され、デバイスにより発生される熱が導熱デバイスを介して迅速に外部環境に伝達され、発熱デバイスにより発生される熱を効率的に放出し、更に効率性を改善し、発熱デバイスの寿命を延長する。また、本発明の実施例に提供される電子デバイスは、基板中に組み込まれ、従って、ここで記載するパッケージキャリアは、薄いパッケージの厚さ及び大きなレイアウト空間を有する。
【産業上の利用可能性】
【００３４】
本発明は、パッケージキャリア及びその製造方法に関し、導熱デバイスのパッケージングに利用することができる。
【符号の説明】
【００３５】
１０    発熱デバイス
２０    ボンディングワイヤ
３０    パッケージキャリア
１００    パッケージキャリア
１１０    基板
１１１    上表面
１１２    第１銅箔層
１１３    下表面
１１４    コア誘電層
１１５    開口
１１６    第２銅箔層
１２０    電子デバイス
１２２    上面
１２４    底面
１３２    第１絶縁層
１３４    第２絶縁層
１４２    第１金属層
１４２ａ    第１パターン化金属層
１４４    第２金属層
１４４ａ    第２パターン化金属層
１５２    第１ブラインドホール
１５４    第２ブラインドホール
１５６    放熱チャネル
１６０    第３金属層
１７０    導熱デバイス
１８２    絶縁材料
１８４    ソルダーマスク層
１８６    表面不活性層
【図１Ａ】
0005572684.tif 000002
【図１Ｂ】
0005572684.tif 000003
【図１Ｃ】
0005572684.tif 000004
【図１Ｄ】
0005572684.tif 000005
【図１Ｅ】
0005572684.tif 000006
【図１Ｆ】
0005572684.tif 000007
【図１Ｇ】
0005572684.tif 000008
【図２】
0005572684.tif 000009